【手続補正書】
【提出日】平成24年3月22日(2012.3.22)
【手続補正１】
【補正対象書類名】明細書
【補正対象項目名】全文
【補正方法】変更
【補正の内容】
【発明の詳細な説明】
【発明の名称】衛生薄葉紙収納容器
【技術分野】
【０００１】
本発明は、便器に取り付け可能とされた衛生薄葉紙収納容器に関するものである。
【背景技術】
【０００２】
トイレ室内に設置される衛生薄葉紙は、一般的に、壁に取り付けられたホルダーに設置されて使用される。そのため、洋式トイレ室内に設置された衛生薄葉紙をホルダーから取出す際には、使用者は腰や腕を伸縮させなければならなかった。このような動作は、肉体が衰えた高齢者にとって困難な場合がある。そこで、使用者が腰や腕を伸縮させなくとも衛生薄葉紙を取り出せるように、衛生薄葉紙の収納場所を備える洋式便器が従来より提案されている（下記特許文献１参照）。
【先行技術文献】
【特許文献】
【０００３】
【特許文献１】特開２００２−５１９３８号公報
【特許文献２】特開２００６−３１１８７２号公報
【発明の概要】
【発明が解決しようとする課題】
【０００４】
しかし、衛生薄葉紙の収納場所を備える洋式便器は、既設のトイレに設置する場合、便器ごと交換しなければならないという問題があった。上記特許文献２に示すような既設の洋式トイレ室内に設置可能な衛生薄葉紙収納容器も過去に提案されてはいたものの、このような衛生薄葉紙収納容器は、洋式トイレ室内の床面や壁面に突設された棚に載置するため、衛生薄葉紙を取出す際には、やはり使用者は腰や腕を伸縮させなければならなかった。
【０００５】
そこで、本発明の主たる課題は、既設の洋式トイレ室内に設置可能であり、且つ、腰や腕を伸縮させなくとも衛生薄葉紙が取り出し可能とされた衛生薄葉紙収納容器を提供することにある。
【課題を解決するための手段】
【０００６】
次に、上記課題を解決するための手段とそれらの作用効果を示す。なお、本文中の上・下・前・後・左・右の方向を示す語句は、説明の便宜上用いたものに過ぎない。
〔請求項１に係る発明〕
内部に衛生薄葉紙を収納可能であり、洋式便器の側面に固定可能とされた衛生薄葉紙収納容器であって、
相互に対向して設置された左右一対の側板部と、一対の側板部に挟まれ、且つ前後に対向して設置された前板部及び背板部と、一対の側板部に挟まれ、且つ上下に対向して設置された天板部及び底板部と、天板部に設けられた衛生薄葉紙の取出口と、を有する本体部と、
取出口が上方を向き、且つ、背板部が洋式便器の側面に対向するように、本体部を洋式便器の側面に固定可能とする固定部材と、を備えており、
背板部の外面は、本体部の内部側に向かって凹んでいる、
ことを特徴とする衛生薄葉紙収納容器。
【０００７】
（作用効果）
本請求項に係る衛生薄葉紙収納容器は、本体部と固定部材とから構成されている。このうち、本体部は、相互に対向して設置された左右一対の側板部と、一対の側板部に挟まれ、且つ前後に対向して設置された前板部及び背板部と、一対の側板部に挟まれ、且つ上下に対向して設置された天板部及び底板部と、天板部に設けられた衛生薄葉紙の取出口と、を有している。そして、本体部は、固定部材によって取出口が上方を向き、且つ、背板部が洋式便器の側面に対向するように、固定可能とされている。
【０００８】
本請求項に係る衛生薄葉紙収納容器によれば、本体部を洋式便器の側面に固定することによって、使用者が腰や腕を伸縮させなくとも本体部に収容された衛生薄葉紙を取出すことが可能となる。
【０００９】
さらに、本請求項に係る衛生薄葉紙収納容器は、トイレ室内の壁面や床面などの設置場所を必要とせず、しかも、洋式便器に取り付け可能であるため、既設の洋式トイレ室内に設置可能である。
【００１０】
また、洋式便器の側面に衛生薄葉紙収納容器の本体部を固定する場合、固定状態で本体部がぐらつかないよう、本体部における洋式便器側面と対向する面が、洋式便器側面の形状と似通っていることが好ましい。一般的な洋式便器の側面は、外側に向かって膨らむような形状を成している。そこで、本請求項に係る衛生薄葉紙収納容器のように、本体部の固定時に洋式便器の側面に対向する背板部は、本体部の内部側に向かって凹んでいることが固定上好ましい。
【００１１】
〔請求項２に係る発明〕
背板部上端縁又は背板部下端縁の少なくともいずれか一方は、本体部の内部側に向かって凹むよう湾曲している、請求項１に記載の衛生薄葉紙収納容器。
【００１２】
（作用効果）
一般的な洋式便器は、上から見た断面における外側の縁部が湾曲している。そのため、洋式便器への固定時に、上から見た断面における外側の縁部に沿って位置する背板部上端縁又は背板部下端縁の少なくともいずれか一方は、本体部の内部側に向かって凹むよう湾曲していることが好ましい。
【００１３】
〔請求項３に係る発明〕
背板部上端縁及び背板部下端縁の曲率半径が、６００〜１２００ｍｍとされている、請求項２に記載の衛生薄葉紙収納容器。
【００１４】
（作用効果）
一般的に洋式便器の形状を鑑みると、背板部上端縁及び背板部下端縁の曲率半径が、６００〜１２００ｍｍとされていることが好ましい。
【００１５】
〔請求項４に係る発明〕
背板部右端縁及び背板部左端縁が、本体部の内部側に向かって凹むよう湾曲している、請求項１〜請求項３のいずれか１項に記載の衛生薄葉紙収納容器。
【００１６】
（作用効果）
一般的な洋式便器は、正面から見た断面における外側の縁部が湾曲している。そのため、洋式便器への固定時に、正面から見た断面における外側の縁部に沿って位置する背板部右端縁及び背板部左端縁は、本体部の内部側に向かって凹むよう湾曲していることが好ましい。
【００１７】
〔請求項５に係る発明〕
背板部右端縁及び背板部左端縁の曲率半径が、１００〜２００ｍｍとされている、請求項４に記載の衛生薄葉紙収納容器。
【００１８】
（作用効果）
一般的に洋式便器の形状を鑑みると、背板部右端縁及び背板部左端縁の曲率半径は、１００〜２００ｍｍとされていることが好ましい。
【００１９】
〔参考発明１〕
なお、請求項４記載の発明に代えて、背板部右端縁及び背板部左端縁が、本体部の内部側に向かってＶ字状に凹んでいるようにすることもできる。
その場合、上側の縁が鍔状に突出しているタイプの洋式便器に適するものとなる。背板部右端縁及び背板部左端縁が、本体部の内部側に向かってＶ字状に凹んでいることによって、鍔状に突出した部分とそうでない部分両方に背板部が接触するように固定することができる。
また、参考発明１においては、本体部の内部側に向かってＶ字状に凹んでいる背板部の右端縁又は左端縁における凹みの角度を１５５〜１７０度とするのがよい。
【００２０】
【００２１】
【００２２】
【００２３】
〔請求項６に係る発明〕
本体部内部には、衛生薄葉紙を載置可能な支持板が、取出口と正対するよう設置されている、請求項１〜請求項５のいずれか１項に記載の衛生薄葉紙収納容器。
【００２４】
（作用効果）
本請求項に係る衛生薄葉紙収納容器は、背板部の形状が本体部の内側に向かって凹んでいるため、底板部と取出口とが正対しにくい。そうすると、底板部に載置された衛生薄葉紙を取出すことが困難になる。そこで、本体部内部に衛生薄葉紙を載置可能な支持板を、取出口と正対するよう設置することで、このような問題は解消される。
【００２５】
〔請求項７に係る発明〕
一対の側板部の少なくともいずれか一方が、取り外し可能とされており、支持板が、側板部の対向方向に沿って外側に引き出し可能とされている、請求項６に記載の衛生薄葉紙収納容器。
【００２６】
（作用効果）
本請求項に係る衛生薄葉紙収納容器では、側板部を取り外し、支持板を側板部の対向方向に沿って外側に引き出し、支持板に衛生薄葉紙を載置させることで、衛生薄葉紙を収納又は補充することができる。
【００２７】
〔請求項８に係る発明〕
前板部の一部又は全部が、本体部の内部が露出するよう開放可能とされている、請求項１〜請求項７のいずれか１項に記載の衛生薄葉紙収納容器。
【００２８】
（作用効果）
本請求項に係る衛生薄葉紙収納容器では、前板部の一部又は全部を開放し、露出した本体部の内部に衛生薄葉紙を収納することで、衛生薄葉紙を収納又は補充することができる。
【００２９】
〔請求項９に係る発明〕
固定部材が、背板部外面に設置された粘着剤、粘着テープ、又は吸盤のいずれかである、請求項１〜請求項８のいずれか１項に記載の衛生薄葉紙収納容器。
【００３０】
〔請求項１０に係る発明〕
固定部材が、便器の縁に引っ掛け可能なジグである、請求項１〜請求項８のいずれか１項に記載の衛生薄葉紙収納容器。
【発明の効果】
【００３１】
以上に示したように、本発明によれば、既設の洋式トイレ室内に設置可能であり、且つ、腰や腕を伸縮させなくとも衛生薄葉紙が取り出し可能とされた衛生薄葉紙収納容器を提供することができる。
【図面の簡単な説明】
【００３２】
【図１】本発明に係る衛生薄葉紙収納容器の実施形態を示す斜視図である。
【図２】本発明に係る衛生薄葉紙収納容器の実施形態を示す斜視図である。
【図３】図１のＸ−Ｘ矢視に対応する断面図であり、本体部内部に衛生薄葉紙を収納した状態を示している。
【図４】図１のＸ−Ｘ矢視に対応する断面図であり、前板部が開放された状態を示している。
【図５】本発明に係る衛生薄葉紙収納容器の実施形態を示す平面図である。
【図６】本発明に係る衛生薄葉紙収納容器の実施形態を示す底面図である。
【図７】本発明に係る衛生薄葉紙収納容器の実施形態の使用状態を示す斜視図である。
【図８】本発明に係る衛生薄葉紙収納容器の実施形態の使用状態を示す平面図である。
【図９】本発明に係る衛生薄葉紙収納容器の実施形態の使用状態を示す正面図である。
【図１０】本発明に係る衛生薄葉紙収納容器の参考形態を示す斜視図である。
【図１１】図１０のＹ−Ｙ矢視に対応する断面図である。
【図１２】本発明に係る衛生薄葉紙収納容器の参考形態を示す斜視図であり、右側の側板部と支持板７０とを本体部から引き出した状態を示している。
【図１３】本発明に係る衛生薄葉紙収納容器の参考形態の使用状態を示す平面図である。
【図１４】本発明に係る衛生薄葉紙収納容器の参考形態の使用状態を示す正面図である。
【発明を実施するための形態】
【００３３】
次に、本発明の実施形態及び参考形態を、添付図面を参照しつつ説明する。
なお、図中の矢印Ｒは右方向を、図中の矢印Ｌは左方向を、図中の矢印Ｆは前方向を、図中の矢印Ｂは後方向を、図中の矢印Ｕは上方向を、図中の矢印Ｄは下方向をそれぞれ示しており、これらは説明の便宜上用いたものに過ぎない。
〔第１実施形態〕
図１〜図９に示すのは、本発明に係る衛生薄葉紙収納容器の第１実施形態である。本実施形態に係る衛生薄葉紙収納容器は、図１及び図２に示すように、プラスチック又はカートンから形成された本体部１０と、本体部１０の外面に設けられた固定部材である一対の粘着テープ９０とを主として構成されている。さらに詳説すると、本体部１０は、一対の側板部２０と、前板部３０と、背板部４０と、天板部５０と、底板部６０とを主として構成されている。
【００３４】
図１及び図２に示すように、相互に同形を成す一対の側板部２０は、それぞれ角のない薄板から形成されており、相互に左右方向に沿って対向するよう配置されている。また、一対の側板部２０は、下方向に向かって窄むような形状を成している。
【００３５】
図１及び図２に示すように、前板部３０は前側に設置されており、この一方、背板部４０は、後側に設置されており、前板部３０及び背板部４０は、相互に前後に対向するよう配置されている。
【００３６】
図１及び図２に示すように、天板部５０は上側に設置されており、この一方、底板部６０は下側に設置されており、天板部５０及び底板部６０は、相互に上下に対向するよう設置されている。
【００３７】
これらの前板部３０、背板部４０、天板部５０、及び底板部６０は、図１及び図２に示すように、全て一対の側板部２０に挟まれるようにして設置されている。また、前板部３０、背板部４０、天板部５０、及び底板部６０は、一続きの滑らかな面となっており、一対の側板部２０に挟まれる面は丸みを帯びて角張った部分を有していない。また、前板部３０、背板部４０、天板部５０、及び底板部６０は、全て薄板とされている。
【００３８】
図２〜図４に示すように、前板部３０と底板部６０との境界には、切り込み１１が設けられており、連続していない。この切り込み１１は、図３に示すように、本体部１０の外側から内側に向かって下方向に傾斜するようにして形成されている。
【００３９】
図２〜図４に示すように、前板部３０の外面における底板部６０との境界近傍には、底板部６０の一部を覆うようにして設置された摘み部３５が突設されている。また、前板部３０と天板部５０との境界には、本体部１０の内部に向かって凹むように形成された溝１２が設けられている。本体部１０は、以上のように構成されていることによって、図３及び図４に示すように、摘み部３５に指を引っ掛けると共に、前板部３０を本体部１０の外側に向かって引っ張ることによって、前板部３０が溝１５を支点として外側に向かって開放されるようになっている。
【００４０】
図１、及び図３〜図５に示すように、天板部５０には、衛生薄葉紙の取出口５５が、本体部１０の内部に貫通するように設けられている。取出口５５は、楕円形とされており、角のない形状とされている。
【００４１】
図１、図３、及び図４に示すように、背板部４０には、一対の粘着テープ９０が貼り付けられている。これらの粘着テープ９０は、それぞれ左右方向に沿って延在しており、相互が上下に離間するよう設置されている。
【００４２】
図１〜図６に示すように、背板部４０の外面は、本体部１０の内部側に向かって緩やかなカーブを描くように凹んでおり、それと共に、背板部右端縁４１、背板部左端縁４２、背板部上端縁４３、及び背板部下端縁４４は、本体部１０の内部側に向かって凹むよう湾曲している。
【００４３】
背板部右端縁４１及び背板部左端縁４２の曲率半径は、１００〜２００ｍｍとされており、背板部上端縁４３及び背板部下端縁４４の曲率半径は、６００〜１２００ｍｍとされている。
【００４４】
図３及び図４に示すように、本体部１０の内部には、衛生薄葉紙Ｐを載置可能な支持板７０が、取出口５５と平行に正対するよう設置されている。この支持板７０は、前板部３０と底板部６０との境界のすぐ下側から、後側に向かって延在するよう配置されており、本体部１０の内部空間を上下に２つに分離している。
【００４５】
次に、本実施形態に係る衛生薄葉紙収納容器の使用形態について説明する。
以上のように構成された本実施形態に係る衛生薄葉紙収納容器は、図３に示すように、本体部１０内部に、衛生薄葉紙Ｐを二つ折りにして折返し縁を重ねた衛生薄葉紙束が収納された状態で使用される。衛生薄葉紙束は支持板７０上に載置されて収納され、衛生薄葉紙Ｐは、一枚ごとに取出口５５からつまみ出されるようになっている。
【００４６】
図７〜図９に示すように、本実施形態に係る衛生薄葉紙収納容器は、背板部４０に設けられた一対の粘着テープ９０を洋式便器１００の側面に貼り付けることで取り付けられる。衛生薄葉紙収納容器は、取出口５５が上方を向くようにして、洋式便器１００に取り付けられる。具体的には、洋式便器１００の側面における便座１０１の近傍であり、且つ、洋式便器１００に座した使用者の大腿のサイドである位置に取り付けられる。
【００４７】
次に、本実施形態に係る衛生薄葉紙収納容器の作用効果を説明する。
本実施形態に係る衛生薄葉紙収納容器では、本体部１０が、一対の粘着テープ９０によって取出口５５が上方を向き、且つ、背板部４０が洋式便器１００の側面に対向するように、固定可能とされている。
【００４８】
本実施形態に係る衛生薄葉紙収納容器によれば、図７〜図９に示すように、本体部１０は、洋式便器１００に座した使用者の大腿のサイドに位置するように、洋式便器１００に対して取り付けることによって、使用者が腰や腕を伸縮させなくとも本体部１０に収容された衛生薄葉紙Ｐを取出すことが可能となる。
【００４９】
本実施形態に係る衛生薄葉紙収納容器は、トイレ室内の壁面や床面などの設置場所を必要とせず、しかも、洋式便器１００に取り付け可能であるため、既設の洋式トイレ室内に設置可能である。
【００５０】
一般的な洋式便器１００の側面は、外側に向かって膨らむような形状を成している。そこで、本実施形態に係る衛生薄葉紙収納容器のように、本体部１０の固定時に洋式便器１００の側面に対向する背板部４０は、本体部１０の内部側に向かって凹んでいることによって、好適な固定形態をとることができる。
【００５１】
背板部右端縁４１及び背板部左端縁４２の曲率半径は、１００〜２００ｍｍとされており、この曲率半径の範囲は、一般的な洋式便器を正面から見た断面における外側の縁部の曲率半径に対応している。そのため、本体部１０を、取出口５５が上方を向くように洋式便器１００の側面に取り付けた際に、背板部右端縁４１及び背板部左端縁４２の形状が、洋式便器１００の側面の形状に合うため、本体部１０を確実に固定することができる。なお、背板部右端縁４１及び背板部左端縁４２の曲率半径は、取り付けられる洋式便器の形状によって適宜変更されることが好ましい。
【００５２】
背板部上端縁４３及び背板部下端縁４４の曲率半径は６００〜１２００ｍｍとされている。この曲率半径の範囲は、一般的な洋式便器を上方から見た断面における外側の縁部の曲率半径に対応している。そのため、本体部１０を、取出口５５が上方を向くように洋式便器１００の側面に取り付けた際に、背板部上端縁４３及び背板部下端縁４４の形状が、洋式便器１００の側面の形状に合うため、本体部１０を確実に固定することができる。なお、背板部上端縁４３及び背板部下端縁４４の曲率半径は、取り付けられる洋式便器の形状によって適宜変更されることが好ましい。
【００５３】
本実施形態に係る衛生薄葉紙収納容器のように、本体部１０内部に衛生薄葉紙Ｐを載置可能な支持板７０を、取出口５５と正対するよう設置することで、衛生薄葉紙Ｐを積み重ねて成る衛生用紙束が、本体部１０内部で崩れてしまうことがない。
【００５４】
〔参考形態〕
次に、本発明に係る衛生薄葉紙収納容器の参考形態を、図１０〜図１２を参照しつつ説明する。なお、上記本発明の第１実施形態と同一の部材に関しては、説明を省略する。
本参考形態に係る衛生薄葉紙収納容器は、図１０〜図１２に示すように、背板部右端縁４１及び背板部左端縁４２は、本体部１０の内部側に向かって湾曲しているのではなく、上下中央近傍で本体部１０内部側に向かってＶ字状に凹むよう折れ曲がっている。なお、図１１に示すように、背板部右端縁４１及び背板部左端縁４２の折れ曲がり角度θは、１５５〜１７０度とされている。
【００５５】
背板部４０における折れ曲がり部分よりも上側の部分には、ジグ９１が一対設けられている。これらのジグ９１は、左右両側にそれぞれ設置されている。また、これらのジグ９１は、コ字状に形成されており、洋式便器の縁１１１に引っ掛けられるようになっている。
【００５６】
図１１に示すように、支持板７０は、背板部４０の内面及び前板部３０の内面からそれぞれ本体部１０の内部側に向かって延出する一対のレール部１８上に載置されている。これらのレール部１８は、本体部１０の内部において、左右方向に沿って延在している。支持板７０は、レール部１８上に固定されておらず、左右方向に沿ってレール部１８上を滑って移動することが可能となっている。
【００５７】
図１０〜図１２に示すように、右側の側板部２０は、本体部１０から取り外しできるようになっている。また、それと共に、右側の側板部２０の内面と支持板７０の右側端縁とは接続されている。このことによって、図１２に示すように、右側の側板部２０を本体部１０から取り外すと、それに伴って支持板７０が、本体部１０から引き出されるようになっている。
【００５８】
なお、本参考形態においては、右側の側板部２０が本体部１０から取り外し可能となっているが、右側の側板部２０ではなく、左側の側板部２０が本体部１０から取り外し可能となっていても良い。左側の側板部２０が本体部１０から取り外し可能となっている場合、支持板７０の左側端縁と左側の側板部２０の内面とが接続される。
【００５９】
次に、本参考形態に係る衛生薄葉紙収納容器の使用形態について説明する。
以上のように構成された本参考形態に係る衛生薄葉紙収納容器は、図１３及び図１４に示すように、取出口５５が上方を向くように、洋式便器１１０の縁１１１に一対のジグ９１を引っ掛けることで設置される。
【００６０】
次に、本参考形態に係る衛生薄葉紙収納容器の作用効果を説明する。
本参考形態に係る衛生薄葉紙収納容器は、図１４に示すような、上側の縁１１１が鍔状に突出しているタイプの洋式便器１１０に適している。背板部右端縁４１及び背板部左端縁４２が、本体部１０の内部側に向かってＶ字状に凹んでいることによって、縁１１１と縁１１１よりも下側の部分両方に背板部４０が接触するように固定することができる。
【００６１】
〔その他の実施形態〕
なお、固定部材は、粘着テープ９０、ジグ９１の他、粘着剤を背板部４０に塗布したり、背板部４０に吸盤を設置することで構成することも可能である。
【産業上の利用可能性】
【００６２】
本発明に係る衛生薄葉紙収納容器は、便器に取り付け可能とされた衛生薄葉紙収納容器として利用できる。
【符号の説明】
【００６３】
１０・・・本体部
１１・・・切り込み
１２・・・溝
２０・・・側板部
３０・・・前板部
３５・・・摘み部
４０・・・背板部
４１・・・背板部右端縁
４２・・・背板部左端縁
４３・・・背板部上端縁
４４・・・背板部下端縁
５０・・・天板部
５５・・・取出口
６０・・・底板部
７０・・・支持板
９０・・・粘着テープ（固定部材）
９１・・・ジグ
１００・・・洋式便器
１０１・・・便座
１１１・・・洋式便器の縁
【手続補正２】
【補正対象書類名】特許請求の範囲
【補正対象項目名】全文
【補正方法】変更
【補正の内容】
【特許請求の範囲】
【請求項１】
内部に衛生薄葉紙を収納可能であり、洋式便器の側面に固定可能とされた衛生薄葉紙収納容器であって、
相互に対向して設置された左右一対の側板部と、一対の側板部に挟まれ、且つ前後に対向して設置された前板部及び背板部と、一対の側板部に挟まれ、且つ上下に対向して設置された天板部及び底板部と、天板部に設けられた衛生薄葉紙の取出口と、を有する本体部と、
取出口が上方を向き、且つ、背板部が洋式便器の側面に対向するように、本体部を洋式便器の側面に固定可能とする固定部材と、を備えており、
背板部の外面は、本体部の内部側に向かって凹んでいる、
ことを特徴とする衛生薄葉紙収納容器。
【請求項２】
背板部上端縁又は背板部下端縁の少なくともいずれか一方は、本体部の内部側に向かって凹むよう湾曲している、請求項１に記載の衛生薄葉紙収納容器。
【請求項３】
背板部上端縁及び背板部下端縁の曲率半径が、６００〜１２００ｍｍとされている、請求項２に記載の衛生薄葉紙収納容器。
【請求項４】
背板部右端縁及び背板部左端縁が、本体部の内部側に向かって凹むよう湾曲している、請求項１〜請求項３のいずれか１項に記載の衛生薄葉紙収納容器。
【請求項５】
背板部右端縁及び背板部左端縁の曲率半径が、１００〜２００ｍｍとされている、請求項４に記載の衛生薄葉紙収納容器。
【請求項６】
本体部内部には、衛生薄葉紙を載置可能な支持板が、取出口と正対するよう設置されている、請求項１〜請求項５のいずれか１項に記載の衛生薄葉紙収納容器。
【請求項７】
一対の側板部の少なくともいずれか一方が、取り外し可能とされており、支持板が、側板部の対向方向に沿って外側に引き出し可能とされている、請求項６に記載の衛生薄葉紙収納容器。
【請求項８】
前板部の一部又は全部が、本体部の内部が露出するよう開放可能とされている、請求項１〜請求項７のいずれか１項に記載の衛生薄葉紙収納容器。
【請求項９】
固定部材が、背板部外面に設置された粘着剤、粘着テープ、又は吸盤のいずれかである、請求項１〜請求項８のいずれか１項に記載の衛生薄葉紙収納容器。
【請求項１０】
固定部材が、便器の縁に引っ掛け可能なジグである、請求項１〜請求項８のいずれか１項に記載の衛生薄葉紙収納容器。